(57)【要約】【課題】  伝送損失の増加を抑えることのできる光ファイバケーブルを提供する。【解決手段】  スロットロッド２０の外周面に螺旋状に設けられているスロット溝２１を、開口部２１ａにおいて絞った断面形状として、内部に光ファイバテープ３０を積層して収容するようにした。このため、スロット溝２１の内部に積層されて収容されている光ファイバテープ３０の配列が乱れても、光ファイバテープ３０がスロットロッド２０の外側に巻かれている上巻きテープ１２とスロットロッド２０との間に入り込んで挟まれるのを防止することができる。これにより、伝送損失の増加を抑えることができる。【選択図】  図１
2005338632.tif 000002
【特許請求の範囲】
【請求項１】
スロットロッドの中心にテンションメンバーを有すると共に、前記スロットロッドの外周面に設けられたスロット溝に光ファイバテープを収容し、前記スロットロッドの外周面を上巻きテープで覆った光ファイバケーブルであって、
前記スロット溝の断面を開口部において絞ることにより、前記光ファイバテープが前記上巻きテープと前記スロットロッドとの間に挟まらないようにしたことを特徴とする光ファイバケーブル。
【請求項２】
請求項１に記載した光ファイバケーブルにおいて、前記スロット溝が、反転する螺旋状に設けられているＳＺ型のスロット溝であることを特徴とする光ファイバケーブル。
【請求項３】
請求項１または請求項２に記載した光ファイバケーブルにおいて、前記スロット溝の開口部における開口幅が、前記光ファイバテープ幅の１．０〜２．２倍の大きさであることを特徴とする光ファイバケーブル。
【請求項４】
請求項１から請求項３のいずれか１項に記載した光ファイバケーブルにおいて、前記スロット溝の断面形状における最大幅が、前記スロット溝の開口幅よりも０．５ｍｍ以上大きいことを特徴とする光ファイバケーブル。
【請求項５】
請求項１から請求項４のいずれか１項に記載した光ファイバケーブルにおいて、前記スロット溝の開口部における内壁の接線と中央部における内壁の接線との成す角度が、１０度以上であることを特徴とする光ファイバケーブル。
【請求項６】
請求項１から請求項５のいずれか１項に記載した光ファイバケーブルにおいて、前記スロット溝の開口部における内壁の開口接線角度が９０度以上であることを特徴とする光ファイバケーブル。
【請求項７】
請求項１から請求項６のいずれか１項に記載した光ファイバケーブルにおいて、前記スロットロッドの外径が１０ｍｍ以上であることを特徴とする光ファイバケーブル。
【請求項８】
請求項１から請求項７のいずれか１項に記載した光ファイバケーブルにおいて、前記光ファイバテープが、８心以上であることを特徴とする光ファイバケーブル。
【発明の詳細な説明】
【技術分野】
【０００１】
本発明は光ファイバケーブルに係り、スロットロッドの外周面に設けられたスロット溝に多心の光ファイバテープを積層して多数収容する光ファイバケーブルに関する。
【背景技術】
【０００２】
近年、通信の分野では光ファイバが幅広く用いられており、これに伴って多数の光ファイバを収容できるスロット型の光ファイバケーブルが用いられるようになってきた（例えば特許文献１参照）。
図８に示すように、この光ファイバケーブル１００では、スロットロッド１０１の中心にテンションメンバー１０２を有すると共に、外周面にはスロット溝１０３がスロットロッド１０１の長手方向に螺旋状に設けられている。なお、図８には、スロット溝１０３が周期的に反転する螺旋状に設けられているＳＺスロット型の光ファイバケーブル１００が示されている。
【０００３】
図９に示すように、スロット溝１０３の内部には、多心（例えば４心）の光ファイバテープ１０４が積層されて収容されている。スロットロッド１０１の外側には、上巻きテープ１０５が巻きつけられており、上巻きテープ１０５の外側にはシース１０６が一体的に設けられている。
【特許文献１】特開２００３−２２７９８３号公報（図７）
【発明の開示】
【発明が解決しようとする課題】
【０００４】
ところで、ＳＺスロット型の光ファイバケーブル１００では、スロット溝１０３の螺旋方向が周期的に反転するため、反転部において、スロット溝１０３の内部で積層されている光ファイバテープ１０４が崩れる場合がある。このような場合には、図９に示したように、崩れた光ファイバテープ１０４がスロット溝１０３の一方に偏り、スロットロッド１０１と上巻きテープ１０５との間に挟まれることによって、伝送損失の増加を招くという不都合があった。
【０００５】
本発明は、前述した問題点に鑑みてなされたものであり、その目的は、伝送損失の増加を抑えることのできる光ファイバケーブルを提供することにある。
【課題を解決するための手段】
【０００６】
前述した目的を達成するために、本発明にかかる光ファイバケーブルは、スロットロッドの中心にテンションメンバーを有すると共に、前記スロットロッドの外周面に設けられたスロット溝に光ファイバテープを収容し、前記スロットロッドの外周面を上巻きテープで覆った光ファイバケーブルであって、前記スロット溝の断面を開口部において絞ることにより、前記光ファイバテープが前記上巻きテープと前記スロットロッドとの間に挟まらないようにしたことを特徴としている。
【０００７】
このように構成された光ファイバケーブルにおいては、スロットロッドの外周面に螺旋状に設けられているスロット溝を、開口部において絞った断面形状として、内部に光ファイバテープを積層して収容するようにした。このため、スロット溝の内部に積層されて収容されている光ファイバテープの配列が乱れても、光ファイバテープがスロットロッドの外側に巻かれている上巻きテープとスロットロッドとの間に入り込んで挟まれるのを防止することができる。これにより、伝送損失の増加を抑えることができる。
【０００８】
また、本発明にかかる光ファイバケーブルは、前記スロット溝が、反転する螺旋状に設けられているＳＺ型のスロット溝であることを特徴としている。
【０００９】
このように構成された光ファイバケーブルにおいては、特に積層されている光ファイバテープの配列が乱れやすいＳＺ型のスロット溝の反転部においても、光ファイバテープが上巻きテープとスロットロッドとの間に挟まれるのを防止することができ、伝送損失の増加を抑えることができる。
【００１０】
また、本発明にかかる光ファイバケーブルは、前記スロット溝の開口部における開口幅が、前記光ファイバテープ幅の１．０〜２．２倍の大きさであることを特徴としている。
【００１１】
このように構成された光ファイバケーブルにおいては、スロット溝の開口部における開口幅を、収容する光ファイバテープの幅の１．０〜２．２倍の範囲に制限することにより、光ファイバテープをスロット溝に収容する作業性を確保することができる。同時に、スロット溝に収容されている光ファイバテープの配列が乱れても、光ファイバテープが上巻きテープとスロットロッドとの間に挟まれにくくすることができ、伝送損失の増加を抑えることができる。
【００１２】
また、本発明にかかる光ファイバケーブルは、前記スロット溝の断面形状における最大幅が、前記スロット溝の開口幅よりも０．５ｍｍ以上大きいことを特徴としている。
【００１３】
このように構成された光ファイバケーブルにおいては、スロット溝の断面形状として、中央部の最大幅を開口部の開口幅よりも０．５ｍｍ以上大きくしたので、積層されている光ファイバテープの取り出し性を確保すると共に、伝送損失の増加を抑えることができる。
【００１４】
また、本発明にかかる光ファイバケーブルは、前記スロット溝の開口部における内壁の接線と中央部における内壁の接線との成す角度が、１０度以上であることを特徴としている。
【００１５】
このように構成された光ファイバケーブルにおいては、スロット溝の断面形状を、開口部付近における内壁の接線と中央部における内壁の接線とが１０度以上の角度で交差するように開口部を絞っている。このため、収容されている光ファイバテープの配列が乱れても、光ファイバテープが上巻きテープとスロットロッドとの間に挟まれにくくすることができ、伝送損失の増加を抑えることができる。
【００１６】
また、本発明にかかる光ファイバケーブルは、前記スロット溝の開口部における内壁の開口接線角度が９０度以上であることを特徴としている。
【００１７】
このように構成された光ファイバケーブルにおいては、スロット溝の開口部における内壁の開口接線角度が９０度以上となっているので、収容されている光ファイバテープの配列が乱れても、光ファイバテープが上巻きテープとスロットロッドとの間に入り込みにくい。このため、光ファイバテープは上巻きテープとスロットロッドとの間に挟まれにくくなり、伝送損失の増加を抑えることができる。
【００１８】
また、本発明にかかる光ファイバケーブルは、前記スロットロッドの外径が１０ｍｍ以上であることを特徴としている。
【００１９】
このように構成された光ファイバケーブルにおいては、スロットロッドの外径が１０ｍｍ以上となるように大きくすることにより、スロット溝の断面を大きくすることができるので、多心の光ファイバテープを十分に収容することができる。
【００２０】
また、本発明にかかる光ファイバケーブルは、前記光ファイバテープが、８心以上であることを特徴としている。
【００２１】
このように構成された光ファイバケーブルにおいては、８心以上の光ファイバテープを用いることにより、より多くの光ファイバを一度に配策することができる。
【発明の効果】
【００２２】
本発明によれば、スロット溝の内部に積層されて収容されている光ファイバテープの配列が乱れても、光ファイバテープがスロットロッドの外側に巻かれている上巻きテープとスロットロッドとの間に入り込んで挟まれるのを防止することができる。これにより、伝送損失の増加を抑えることができる。
【発明を実施するための最良の形態】
【００２３】
以下、本発明に係る実施形態を図面に基づいて詳細に説明する。図１は本発明の光ファイバケーブルに係る実施形態を示す断面図、図２はＳＺスロット型のスロットロッドの斜視図、図３は光ファイバテープの一例を示す断面図、図４はスロット溝の開口幅／テープ幅と伝送損失との関係を示す図、図５はスロット溝の断面を示す拡大断面図である。
【００２４】
図１に示すように、本発明の実施形態である光ファイバケーブル１０は、スロットロッド２０の中心にテンションメンバー１１を一体的に有すると共に、スロットロッド２０の外周面２０ａに複数本（ここでは、５本）スロット溝２１が螺旋状に設けられている。各スロット溝２１の内部には、光ファイバテープ３０を複数個積層した積層体３１が収容されており、スロットロッド２０の外周面２０ａを上巻きテープ１２で覆い、さらに最外層にシース１３を一体的に被覆している。
【００２５】
光ファイバケーブル１０は、ＳＺ型スロットケーブルであることが望ましい。すなわち、図２に示すように、スロットロッド２０Ａの外周面２０ａに設けられているスロット溝２１は、一定の周期Ｌで撚り方向（螺旋方向）が反転して設けられている。図１に示すように、このようなＳＺ型スロットロッド２０を用いた光ファイバケーブル１０では、シース１３および上巻きテープ１２を取り除くことにより、スロットロッド２０を切断することなく光ファイバテープ３０をたるみをもって容易に取り出すことができるので、分岐作業性が良いという特徴がある。
【００２６】
図３に示すように、例えば、８心の光ファイバテープ３０Ａでは、光ファイバ３２を８本並べ、全体を樹脂製の被覆３３によりテープ状に一体化している。なお、光ファイバ３２は、内部のガラスファイバ３２ａとその外周に施した一次被覆層（緩衝層）３２ｂとから構成されている。
【００２７】
図１に示すように、スロット溝２１の断面形状は、開口部２１ａにおいて絞った形状となっている。一般に、ＳＺ型の光ファイバケーブル１０では、伝送損失の増加を抑えると共に光ファイバテープ３０を取り出しやすくするために、スロット溝２１の断面を大きくする傾向がある。しかし、これでは特に反転部において光ファイバテープ３０の配列が乱れやすくなる。その結果、光ファイバテープ３０がスロットロッド２０と上巻きテープ１２との間に挟まれて、かえって伝送損失の増加を招くことになる。これを防止するために、スロット溝２１の開口部を絞ったものである。
【００２８】
図４には、図８において前述した従来より用いられている光ファイバケーブル１００と、図１に示した本発明にかかる光ファイバケーブル１０とについて１５５０ｎｍにおける伝送損失の最大値を求めた結果が示してある。
図５に示すように、スロット溝２１の開口部２１ａの幅をＷ１、光ファイバテープ３０のテープ幅をＷとすると、従来の光ファイバケーブル１００では、開口幅Ｗ１はテープ幅Ｗの２．５〜３．０倍程度である。また、本発明の光ファイバケーブル１０では、開口幅Ｗ１はテープ幅Ｗの１．０〜２．２倍程度とした。その結果、図４に示すように、従来の光ファイバケーブル１００では０．２５〜０．２６ｄＢ／ｋｍ程度の伝送損失最大値が、本件の光ファイバケーブル１０では０．２２〜０．２３ｄＢ／ｋｍ程度となり、伝送特性が向上していることがわかる。以上の結果、開口幅Ｗ１がテープ幅Ｗの１．０〜２．２倍程度まで絞ることが望ましい。
【００２９】
図５に示すように、スロット溝２１の最大幅をＷ２とすると、最大幅Ｗ２は、スロット溝２１の開口幅Ｗ１よりも０．５ｍｍ以上大きくするのが望ましい。
これにより、積層されている光ファイバテープ３０の取り出し性を確保すると共に、伝送損失の増加を抑えることができる。
【００３０】
また、図５に示すように、スロット溝２１の開口部２１ａにおける内壁２１ｂの接線Ｔ１と、中央部における内壁２１ｂの接線Ｔ２との成す角度θが、１０度以上であることが望ましい。
すなわち、１０度以上の角度で開口部２１ａが絞られるので、収容されている光ファイバテープ３０の配列が乱れても、光ファイバテープ３０が上巻きテープ１２とスロットロッド２０との間に挟まれにくくすることができ、伝送損失の増加を抑えることができる。
【００３１】
さらに、図５に示すように、接線Ｔ１と開口部２１ａ（すなわち、上巻きテープ１２）との成す角度φが９０度以上となることが望ましい。
すなわち、スロット溝２１の開口部２１ａにおける内壁２１ｂの開口接線角度が９０度以上と大きくなっているので、収容されている光ファイバテープ３０の配列が乱れても、光ファイバテープ３０が上巻きテープ１２とスロットロッド２０との間に入り込みにくくなるので、伝送損失の増加を抑えることができる。
【００３２】
なお、光ファイバケーブル１０の外径Ｄ（図１参照）は、１０ｍｍ以上とするのが望ましい。これにより、スロット溝２１の断面を大きくすることができるので、多心（例えば、８心）の光ファイバテープ３０を十分に収容することができ、伝送損失の増加を抑えることができる。また、多心の光ファイバテープ３０を用いることにより、一度に多くの光ファイバ３２を配策することができる。
【００３３】
以上、前述した光ファイバケーブル１０によれば、スロット溝２１を、開口部２１ａにおいて絞った断面形状としているので、スロット溝２１の内部に積層されて収容されている光ファイバテープ３０の配列が乱れても、光ファイバテープ３０がスロットロッド２０の外側に巻かれている上巻きテープ１２とスロットロッド２０との間に入り込んで挟まれるのを防止することができる。これにより、伝送損失の増加を抑えることができる。
【００３４】
なお、本発明の光ファイバケーブルは、前述した実施形態に限定されるものでなく、適宜な変形，改良等が可能である。
例えば、前述した実施形態においては、スロット溝２１の撚り方向が反転するＳＺ型の光ファイバケーブル１０について説明したが、図６に示すように、スロット溝２１が一方向に撚られているＳ型あるいはＺ型のスロットロッド２０Ｂを用いることも可能である。      
【００３５】
また、前述の光ファイバケーブル１０においては、８心の光ファイバテープ３０について説明したが、心数はこれに限るものではない。例えば、４心、１２心等についてもまったく同様に適用することができる。
【００３６】
また、前述の光ファイバケーブル１０におけるスロット溝２１の断面形状として、図５に示すような丸みと帯びた形状を例示したが、この他、図７に示すように内壁２１ｂが直線的な断面形状でも同様に適用することができる。
【図面の簡単な説明】
【００３７】
【図１】本発明の実施形態に係る光ファイバケーブルを示す断面図である。
【図２】ＳＺ型のスロットロッドを示す斜視図である。
【図３】８心の光ファイバテープを示す断面図である。
【図４】開口幅／テープ幅と伝送損失との関係を示す図である。
【図５】スロット溝の断面を示す拡大断面図である。
【図６】Ｓ（Ｚ）型のスロットロッドを示す斜視図である。
【図７】従来のＳＺ型光ファイバケーブルを示す一部破断の斜視図である。
【図８】従来のＳＺ型光ファイバケーブルを示す一部破断の斜視図である。
【図９】従来の光ファイバケーブルにおける問題点を示す断面図である。
【符号の説明】
【００３８】
１０  光ファイバケーブル
１１  テンションメンバー
１２  上巻きテープ
２０  スロットロッド
２０ａ  外周面
２１  スロット溝
２１ａ  開口部
２１ｂ  内壁
３０  光ファイバテープ
Ｄ  外径
Ｗ  光ファイバテープ幅
Ｗ１  開口幅
Ｗ２  最大幅
Ｔ１  開口部における内壁の接線
Ｔ２  中央部における内壁の接線
φ  開口接線角度
θ  接線の交角
【図１】
2005338632.tif 000003
【図２】
2005338632.tif 000004
【図３】
2005338632.tif 000005
【図４】
2005338632.tif 000006
【図５】
2005338632.tif 000007
【図６】
2005338632.tif 000008
【図７】
2005338632.tif 000009
【図８】
2005338632.tif 000010
【図９】
2005338632.tif 000011